(57)【要約】【課題】高層住宅のベランダ清掃工事を行う際に、廉価に製作して安全な作業を行える工事用足場を提供すること。【解決手段】足場１０を高層住宅のベランダ３内に配置する。足場１０には、ベランダ床面４を走行する下部区域Ｍ１と、ベランダ天井壁５下面に係止する係止部材３０を備える上部区域Ｍ２と、ベランダ外壁６より外方に突出する側部区域Ｍ３とを備える。下部区域Ｍ１には、下部枠体部１１を配置し、上部区域Ｍ２と側部区域Ｍ３には、上部区域Ｍ２と側部区域Ｍ３に跨る上部枠体部１３を配置する。上部枠体部１３は、一対の縦枠部１４、１４、第１の連結枠部１５、第２の連結枠部１６を備えている。下部枠体部１１には、一対の縦枠部１４を嵌め合い結合で連結し、一対の縦枠部１４、１４の両端部で、第１の連結枠部１５と第２の連結枠部１６とを嵌め合い結合で連結する。【選択図】図１
0003141539.tif 000002
【実用新案登録請求の範囲】
【請求項１】
高層住宅のベランダ天井壁を清掃するための工事用足場であって、
ベランダ床面に当接する下部区域と、前記ベランダ天井壁に係止可能な係止部材を備える上部区域と、ベランダ外側に突出して作業可能な側部区域とを備え、
前記上部区域と前記側部区域には一体的に連接した枠体状の上部枠体が配設され、前記下部区域には枠体状に形成された下部枠体が配設され、
前記上部枠体は前記下部枠体に着脱可能に構成され、
前記係止部材が昇降可能に配設されていることを特徴とする工事用足場。
【請求項２】
前記下部枠体には、下部にキャスタを備えていることを特徴とする請求項１記載の工事用足場。
【請求項３】
前記係止部材は、ベランダ押圧部と前記ベランダ押圧部を昇降可能なねじ手段とを有して形成されるとともに、前記ベランダ押圧部が前記上部枠体より突出して配設されていることを特徴とする請求項１記載の工事用足場。
【請求項４】
前記上部枠体は、前記上部区域と前記側部区域とに跨る一対の縦枠部と、前記一対の縦枠部の一方を連結する第１の連結枠部と、前記一対の縦枠部の他方を連結する第２の連結枠部と、を備えていることを特徴とする請求項１記載の工事用足場。
【請求項５】
前記縦枠部は前記下部枠体に嵌め込み結合されていることを特徴とする請求項４記載の工事用足場。
【請求項６】
前記第１の連結枠部と前記第２の連結枠部は、前記縦枠部に嵌め込み結合されていることを特徴とする請求項４記載の工事用足場。
【請求項７】
前記上部枠体の前記側部区域には、前記縦枠部に嵌め込み結合された床枠部と前記床枠部に嵌め込み結合された敷板が敷設されていることを特徴とする請求項４記載の工事用足場。
【考案の詳細な説明】
【技術分野】
【０００１】
本考案は、マンションやビル等の高層住宅に関する外壁やベランダ天井壁の塗装等改修工事等で使用する工事用足場に関する。
【背景技術】
【０００２】
マンションやオフィスビル等の高層住宅の外壁やベランダ等は、長期間の使用で塗装が剥げてきたり汚れたりするから必要に応じて塗装等改修工事を行う必要があった。高層住宅の場合、従来では、高層住宅の外壁やベランダ天井の塗装改修工事は、屋上から吊下されたゴンドラを使用して行われていた。ゴンドラはワイヤで牽引されて各階の外壁の塗装改修工事を行うことから、ゴンドラを左右方向と上下方向に移動させて作業を行うこととなっていた。
【０００３】
しかし、ゴンドラでの作業は、危険を伴うとともに、屋上から吊下するように構成されているから、準備時間を含めて作業時間がかかり、莫大な費用を必要とすることになっていた。しかも距離の長いベランダに沿って作業を行うとすると、複数のゴンドラを用意することとなってさらに費用をかけることとなっていた。そのため、廉価に製作できる工事用足場が求められていた。この場合、脚立を使用して作業することも考えられるものの、脚立では作業効率が悪いばかりでなく、ベランダの外壁から身を乗り出して作業することができず、万が一、脚立での作業時にバランスを崩して転倒した場合には、大きな事故となることから、高層住宅のベランダの清掃工事では、ベランダで脚立を使用して作業を行うことができなかった。
【０００４】
一方、走行可能に構成された工事用足場が、例えば、特許文献１によって知られている。この公報においては、従来、枠組み体の下端部にキャスタを取り付けたロータリータワー式足場であったものを、家屋の壁面に沿って自走可能な移動足場装置として提案したものである。つまり、地面が整地されていない場所でロータリータワー式足場を組付けても移動が困難であることから、地面に対して走行させるのではなく家屋の壁面にローラを当接して走行可能に構成したものである。
【特許文献１】特開平６−３２２９７１号公報
【考案の開示】
【考案が解決しようとする課題】
【０００５】
しかし、マンション等の高層住宅の外壁やベランダ天井部を改修塗装する場合には、上層階で作業する際の危険防止を図ることは前提として考慮しなければならず、また、現場で組み付けるとともに長いベランダに沿って効率よく塗装作業を行えることも必要となっていた。
【０００６】
特許文献１の足場の場合、戸建の建物に使用するには都合がよいものの、高層住宅の壁面を走行することは危険を伴うことであり、また、足場を支持する場所がないことから、特許文献１の足場を高層住宅で使用することは好ましくなかった。
【０００７】
そのため、高層階で作業する際に、ベランダ外壁より突出した部位において作業を可能とするために、屋上から吊下されるゴンドラや危険を伴う脚立等を使用することなく、廉価に製作できる工事用足場を提供することが新たに求められていた。
【課題を解決するための手段】
【０００８】
本考案は、上述の課題を解決するものであり、簡単に組み付けることができて、ベランダ外壁より突出して作業を行う際に、安全でしかも廉価に製作できる工事用足場を提供することを目的とするものであり、本考案に係る工事用足場は以下のように構成するものである。すなわち、
請求項１記載の考案では、高層住宅のベランダ天井壁を清掃するための工事用足場であって、ベランダ床面に当接する下部区域と、前記ベランダ天井壁に係止可能な係止部材を備える上部区域と、ベランダ外側に突出して作業可能な側部区域とを備え、前記上部区域と前記側部区域には一体的に連接した枠体状の上部枠体が配設され、前記下部区域には枠体状に形成された下部枠体が配設され、前記上部枠体は前記下部枠体に着脱可能に構成され、前記係止部材が昇降可能に配設されていることを特徴とするものである。
【０００９】
請求項２記載の考案では、前記下部枠体には、下部にキャスタを備えていることを特徴としている。
【００１０】
請求項３記載の考案では、前記係止部材は、ベランダ押圧部と前記ベランダ押圧部を昇降可能なねじ手段とを有して形成されるとともに、前記ベランダ押圧部が前記上部枠体より突出して配設されていることを特徴としている。
【００１１】
請求項４記載の考案では、前記上部枠体は、前記上部区域と前記側部区域とに跨る一対の縦枠部と、前記一対の縦枠部の一方を連結する第１の連結枠部と、前記一対の縦枠部の他方を連結する第２の連結枠部と、を備えていることを特徴としている。
【００１２】
請求項５記載の考案では、前記縦枠部は前記下部枠体に嵌め込み結合されていることを特徴としている。
【００１３】
請求項６記載の考案では、前記第１の連結枠部と前記第２の連結枠部は、前記縦枠部に嵌め込み結合されていることを特徴としている。
【００１４】
請求項７記載の考案では、前記上部枠体の前記側部区域には、前記縦枠部に嵌め込み結合された床枠部と前記床枠部に嵌め込み結合された敷板が敷設されていることを特徴としている。
【考案の効果】
【００１５】
本考案に係る工事用足場は、その下部区域がベランダの床面に当接するように構成され、上部区域においてベランダ天井壁に係止可能な係止部材を有して構成されているから、係止部材をベランダ天井壁に係止させて押圧することによって、ベランダに固定することができる。また、側部区域は、ベランダ外壁より外方に突出して配設されているとともに、上部区域に跨るように上部枠体が一体的な枠状として形成されているから、高層住宅の清掃工事を行うことであっても、ベランダに固定された上部枠体の側部区域で安全に作業を行うことができる。
【００１６】
また、上部枠体は下部枠体に着脱可能に構成されているから、工事用足場を高層階に持ち運ぶ際に、分割した状態で運ぶことができ、容易な運搬作業となる。
【００１７】
さらに、下部区域はベランダ床面を走行できるので、所定の箇所での作業を終えると次の箇所に即座に移動することができる。そのため、長い距離を有するベランダ天井壁の清掃作業を廉価な費用で効率よく行うことができる。
【００１８】
つまり、さらに詳細に説明すれば、上部区域と側部区域内に跨るように配設された上部枠体を下部枠体に組み付けた状態においては、上部区域とベランダ天井壁の下面との間にはわずかな隙間を有している。上部区域には、上部枠体より上方に突出した係止部材がねじ手段で昇降可能に配設されているから、係止部材を上昇させてベランダ天井部に押し当てることによって、ベランダ床面とベランダ天井部とを固定することができる。
【００１９】
上部枠体の側部区域はベランダ外壁より外方に突出している。そのため、側部区域内に乗った作業者の重量で、ベランダの外側に倒れるようなモーメントがかかっても、ベランダ床面と天井壁とを一体的に固定しているから、足場の姿勢を維持することができ安全に作業することができる。
【００２０】
この上部枠体の一対の縦枠部は、下部枠体に対して嵌め込み結合されるとともに、一対の縦枠部の両端部に対して連結枠部が嵌め込み結合されることによって、ねじ締結するための工具を必要とすることなく、容易な組付を行うことができる。そのため、上層階に移動する際に工事用足場を分割してエレベータ等で持ち運ぶことができ、総合的な作業時間を短縮することができる。
【００２１】
また、所定の場所の作業を終えると、下部区域に装着されたキャスタによって、次の作業場に即座に移動することができ効率のよい作業を行うことができる。
【００２２】
上述のように、本考案の工事用足場では、従来のようにゴンドラを吊って行う作業からベランダで組み付けて作業できるようにしたことから安全であるとともに莫大な費用をかけずに行うことができる。しかも、容易な組立方式に構成してキャスタでの移動により効率のよい作業を行うことができる。
【考案を実施するための最良の形態】
【００２３】
次に、本考案の工事用足場における実施形態について、図面に基づいて説明する。この工事用足場(以下、単に足場ともいう)は、高層住宅のベランダに設置し、そして、ベランダ天井壁下面の塗装、あるいはベランダ外壁の外面の清掃等を行うことに好適に使用される。なお、以下の説明では、足場１０における部屋１に向かう側を前側又は前部といい、部屋１から離れる方向を後側又は後部あるいは外側という。また、足場１０をベランダに作業可能に設置した状態で、ベランダ３の長手方向に沿って配置される方向を足場１０の幅方向という。
【００２４】
図１は、ベランダ３内に配置される足場１０の概略構造を示すものであり、各階のベランダ３は、部屋１の外壁２の外側に配置されている。足場１０はベランダ床面４に当接する区分を含む下部区域Ｍ１と、ベランダ天井壁５に係止する区分を含む上部区域Ｍ２と、ベランダ外壁６から外方部位に突出する区分を含む側部区域Ｍ３とを備えている。
【００２５】
下部区域Ｍ１には、枠状に形成された下部枠体部１１が配置され、上部区域Ｍ２及び側部枠体部Ｍ３には、上部区域Ｍ２と側部区域Ｍ３に跨って上部枠体部１３が配置されている。上部枠体部１３は、下部枠体部１１に対して着脱可能に構成されるとともに、上面がベランダ天井壁５の下面との間に隙間Ｓを有して形成されている。また、上部枠体部１３における部屋１側端面が部屋１の外壁２との間に隙間を有して配置され、ベランダ外壁６側端面がベランダ外壁６より外側に突出して配置されている。ベランダ外壁６より外方に突出した部位には、作業者が乗るための床板１７が配置され、また作業者の上半身を囲う上部カバー２６が上層階のベランダ外壁６に対向して配置されている。
【００２６】
下部枠体部１１は、部屋１の外壁２とベランダ外壁６との間に配置され、ベランダ床面４を走行できるように、下端部には４隅にそれぞれキャスタ２０が装着されている。また、キャスタ２０と別の位置に、ねじ部を有して高さ調整可能な一対のストッパ部材２１（図３参照）が対向して装着されている。一方、上部枠体部１３の上面とベランダ天井壁５の下面との間に形成される隙間Ｓには、上部枠体部１３の上面から突出して係止部材３０が配置されている。係止部材３０は上部枠体部１３に支持され、ねじ手段によって昇降可能に配置されて、ベランダ天井壁５の下面を押圧可能としている。
【００２７】
下部枠体部１１は、下部にキャスタ２０が配置され、上部に上部枠体部１３との嵌め合い結合する部位を有して枠体状に形成されていれば、その他の構成を特に限定するものではない。
【００２８】
例えば、本実施形態では、図２〜４に示すように、４本の縦支柱１１１を備え、４本の縦支柱１１１を上部、中部、下部において横支柱１１２で連結させている。上部の横支柱１１２には、対向する面において、Ｌ字状板１２が各２個ずつ溶着され、後述の上部枠体部１３の縦枠部を嵌合可能としている。片側における一方のＬ字状板１２の端面（ベランダ外壁６側）は縦支柱１１１の端面と略面一に配置され、他方のＬ字状板１２の端面（部屋１側）の端面は縦支柱１１１の端面との間に段差を有するように配置されている。また、上部の横支柱１１２上には、上段用敷板１１３が装着され、中部の横支柱１１２上には中段用敷板１１４が装着され、下部の横支柱１１２上には下段用敷板１１５が固着されている。
【００２９】
上部に固着された上段用敷板１１３は、上部枠体部１３の幅方向に対して幅狭く形成され、前後方向の一対の横支柱１１２との間にそれぞれ隙間を有している。中部に配置された中段用敷板１１４は横支柱１１２間の全面にわたる大きさで形成され、作業用工具や工具ボックスを載置している。
【００３０】
下部に配置された敷板１１４は、横支柱１１２間上全面にわたる大きさで形成されて横支柱１１２に溶着されている。下段用敷板１１５上には、水を充填したタンク２３を収納して錘としている。なお、下部枠体部１１においては、重量を軽減するために、例えば、下部を等辺山形鋼で予め溶着してタンク２３を収納できるようにしておけば、下段用敷板１１５を削除することができる。
【００３１】
上部枠体部１３は、足場１０の上部区域Ｍ２と側部区域Ｍ３とにわたって一体的に延設する枠部を有していることと、下部枠体部１１にねじ結合しないで嵌め合うように構成されているものであれば、その他の部位を特に限定するものではない。例えば、本実施形態においては、足場１０の前後方向に沿って配置される一対の縦枠部１４と、一対の縦枠部１４の一方の端部（側部区域Ｍ３側）に一対の縦枠部１４を連結する第１の連結枠部１５と、他方の端部（部屋１側）に一対の縦枠部１４を連結する第２の連結枠部１６とを有して構成されている。
【００３２】
実施形態の縦枠部１４は、下部枠体部１１と嵌め合い結合可能に形成されている。詳細に説明すると、四辺を外枠部１４１（下辺の外枠部１４１Ａ、側部区域Ｍ３側の外枠部１４１Ｂ、部屋１側の外枠部１４１Ｃ、上辺の外枠部１４１Ｄ）で連結した枠状に形成されて、内部に横方向と縦方向に沿って補助枠部１４２を連結して形成されている。図５に示すように、下辺の外枠部１４１Ａは、下部枠体部１１のＬ字状板１２と横支柱１１２との間に形成された凹部１２１に嵌合される。また、図６に示すように、側部区域Ｍ３側に配置された外枠部１４１Ｂには、上下２段にフック部１４１ａが配置されている。
【００３３】
側部区域Ｍ３側に配置される第１の連結枠部１５は、一対の縦枠部１４の一方の端部に嵌め合い結合可能に形成され、四辺を外枠部１５１で連結した枠状に形成されて、内部に横方向に沿って補助枠部１５２を連結して形成されている。上辺の外枠部１５１Ａと１本の補助枠部１５２が前述の縦枠部１４の外枠部１４１Ｂに形成されたフック部１４１ａに係止される。
【００３４】
第２の連結枠部１６は、一対の縦枠部の他方の端部に嵌め合い結合可能に形成され、１本の連結棒１６１の両端部に下方に向かってそれぞれ２枚の板部材１６２が間隔を有して配置されている。図５に示すように、この間隔は縦枠部１４の上片の外枠部１４１Ｄに上方から嵌合できるように、外枠部１４１Ｄの幅寸法と略同一または僅かに大きく形成されている。さらに、連結棒１６１の下面側には把手１６３が形成されて、手で容易に操作できるようになっている。
【００３５】
また、側部区域Ｍ３において、縦枠部１４には、側部保護板２４が着脱可能に装着され、図７に示すように、第１の連結枠部１５には後部保護板２５が着脱可能に装着されている。側部保護板２４は、縦枠部１４の側部区域Ｍ３側を内方から覆うように１枚のベニヤ板あるいは鉄板で形成され、縦枠部１４側の面に上下左右の各２箇所においてフック部２４ａが形成され、反対側の面に把手２４ｂが形成されている。後部保護板２５は、第１の連結枠部１５を外方から覆うように１枚のベニヤ板あるいは鉄板で形成され、第１の連結枠部１５側の面に上下左右の各２箇所においてフック部２５ａが形成され、反対側の面に把手２５ｂが形成されている。
【００３６】
これによって、上部枠体部１３は、下部枠体部１１に対して嵌め合い結合できるとともに、分割された一対の縦枠部１４と第１の連結枠部１５及び第２の連結枠部１６とが嵌め合い結合できることとなって、足場１０の組付時間を短縮することができる。しかも、分割できることから持ち運びも容易に行うことができる。
【００３７】
側部区域Ｍ３に配置される床板１７は、床枠１８と敷板１９とで構成されている。床枠１８は縦枠部１４の下辺の外枠部１４１Ａに嵌め合い結合可能に形成され、四辺を外枠部１８１で連結した枠状に形成されて内部に長手方向に沿って補助枠部１８２を連結して形成されている。一対の縦枠部１４側に対向する外枠部１８１の外面に２箇所の板部材１８３を外枠部１８１の下方に突出して固着させ、外枠部１８１の内面に２箇所の板部材１８４を外枠部１８１の下方に突出して固着させている。外枠部１８１の外面と内面とに形成された２枚の板部材１８３、１８４で縦枠部１４の外枠部１４１Ａを挟むように挿入して床枠１７を縦枠部１４に組み付けることとなる。
【００３８】
そして、床枠１７の上面には敷板１９が敷設される。敷板１９は、ベニヤ板あるいは鉄板で形成されるとともに、縦枠部１４の側部区域Ｍ３側の外枠部１４１Ｂに干渉する角部に切欠部１９１を形成する。切欠部１９１を形成することによって、敷板１９が位置決めされることとなる。
【００３９】
これによって、床板１７も縦枠部１４に嵌め合い結合によって容易に装着することができる。
【００４０】
上部カバー２６は、図２又は図３に示すように、上部枠体部１３の側部区域Ｍ３内において、上部枠体部１３の上面より上方に突出されるように配置されている。上部カバー２６は、後壁部２６１と両側壁部２６２とを有する断面コ字状に形成されている。そして上面はベランダ天井より上方に突出して形成され、下面は上部枠体部１３の縦枠部１４内に侵入して形成されている。上部カバー２６は縦枠部１４及び第１の連結枠部１５に係止する図示しないフック部を、後壁部２６１及び両側壁部２６２に所定数形成して、それぞれ嵌め合い結合によって装着する。なお、上部カバー２６の側壁部２６２は、後壁部２６１に対して折り畳み可能に形成されている。
【００４１】
係止部材３０は、上部枠体部１３の上面とベランダ天井壁５との間に形成される隙間Ｓ内に配置され、隙間Ｓ内を移動してベランダ天井壁５の下面に係止して押圧可能に昇降されるものであれば、その構成を限定するものではない。例えば、本実施形態においては、図８に示すように、係止部材３０は、市販のキャスタを逆向きにさせて上部枠体部１３に装着している。つまり、ベランダ押圧部材としての車輪部３１を上方に位置させ、胴体部としての雄ねじ部３２を下方に向けて配置させている。雄ねじ部３２には、操作レバー３３ａを有する雌ねじ部材３３が螺合されている。一方、上部枠体部１３の縦枠部１４における前側の外枠部１４１Ｃ、１４１Ｃの上部に、雄ねじ部３２を挿通するとともに雌ねじ部材３３の下面を受けるためのねじ収納筒部３５が形成されている。雄ねじ部３２と雌ねじ部材３３とでジャッキ装置を構成して、雌ねじ部材３３のレバー３３ａを回動操作させることによって、雄ねじ部３２が移動することになり、車輪部３１を昇降させることができる。
【００４２】
なお、係止部材は、上記の構成に限定するものではなく、例えば、ベランダ押圧部を油圧ジャッキに連結させて、油圧ジャッキの作用で上昇させるように構成してもよく。またねじ式ジャッキを下部枠体部１１の中段用敷板１１４に載置させてベランダ押圧部材に連結するようにしてもよい。この場合、ねじ式ジャッキと、ベランダ押圧部材との間に一対のプレートと一対の支柱とを取り付け、ねじを調整することによってベランダ押圧部材を昇降させるように構成することもできる。
【００４３】
また、係止部材３０が、万が一破損した場合の予備として、ストッパ３６（図２又は３参照）が上部枠体部１３に支持されるとともに、高さ調整可能に配置されている。
【００４４】
次に、上述のように構成された足場１０の組付手順および作用について説明する。
【００４５】
まず、作業を行う階層に、分割された足場１０のそれぞれの部位をエレベータによって運搬する。分割された部位は、下部枠体部１１、上段用敷板１１３、中段用敷板１１４、また、上部枠体部１３における、一対の縦枠部１４、第１の連結枠部１５、第２の連結枠部１６、床枠１８、敷板１９、及び上部カバー２６、係止部材３０、下部枠体部１１に収納するタンク２３等である。
【００４６】
上記の部位をベランダ３内に持ち運んだ後、足場１０を組み立てる。この場合、まず、上部枠体部１３の長手方向を、ベランダ３の長手方向となるように、下部枠体部１１の方向を決める。下部枠体部１１に上段用敷板１１３、中段用敷板１１４を装着する。その後、下部枠体部１１の上部に配置された左右一対のＬ字状板１２と横支柱１１２との間に形成されている凹部１２１に一対の縦枠部１４、１４を嵌めこむ。この際、縦枠部１４の外枠部１４１ＣをＬ字上板１２と下部枠体部１１の縦支柱１１１との間の段差部に配置するとともに、外枠部１４１Ｃの端面をＬ字状板１２の端面に当接するように嵌め込む。
【００４７】
次に、第１の連結枠部１５の外枠部１５１及び補助枠部１５２を、縦枠部１４の外枠部１４１Ｃに形成されたフック部１４１ａに装着し、第２の連結枠部１６の板部材１６２を縦枠部１４の外枠部１４１Ｄに嵌めこんで上部枠体部１３を枠状に形成する。その後、床枠１８の板部材１８３、１８４を縦枠部１４の外枠部１４１Ａに嵌め込んだ後、敷板９を床枠１８の上面に載置して床板１７を取り付ける。さらに、係止部材３０を縦枠部１４の外枠部１４１Ｄにおけるねじ収納筒部３５内に挿入する。
【００４８】
この状態で、仮組みされた足場１０を正規の位置に配置する。つまり、足場１０の前面を部屋１側に向け、足場１０の側部区域Ｍ３をベランダ外壁６より突出させる。
【００４９】
そして、一対の縦枠部１４と第１の連結枠部１５にそれぞれ側部保護板２４を内側から、後部保護板２５を外側から嵌め込んで装着する。その後、上部カバー２６を縦枠部１４及び第１の連結枠部１５に嵌め込んで装着する。
【００５０】
足場１０の組付が完了すると、次にベランダ清掃工事を行う。清掃工事を行うにあたって、水洗浄やバイオ洗浄を行うために、清掃工事を行う場所に防水シート４０を掛けて落下防止を図る。この防水シート４０の取付けは、具体的に図９に示すように、例えば、上層階のベランダ外壁６にシート補助レバー４１を複数箇所に取り付ける。複数のシート補助レバー４１の先端には、レール４２を、防水シートの幅方向に延設して配置する。防水シート４０の上端をシート補助レバー４１に装着し、防水シート４０の下端を、作業する階のベランダ外壁６の内側からベランダ床面４に架け渡す。この防水シート４０は、足場１０を使用して清掃作業を行う範囲全体的にわたって取り付ける。これによって、水やバイオが下方に落下することを防止できる。
【００５１】
なお、この防水シート４０の一端を足場１０における上部レバー２６に掛けて、作業する階のベランダ外壁６の内側に掛けるようにしてもよい。
【００５２】
次に、清掃作業を行う。作業者は、下部枠体部１１の下部に配置されたストッパ部材２１をベランダ床面４に当接した後、例えば、脚立等を使用して、２箇所の係止部材３０をベランダ天井壁５下面に係止させる。つまり、係止部材３０の雌ねじ部材３３を回して車輪部３１をベランダ天井壁５の下面に向かって上昇させる。車輪部３１がベランダ天井壁５の下面に係止すると、さらに押圧して足場１０をベランダ３内で固定する。この際、実施形態の係止部材３０はそれぞれ雌ねじ部材３３を回すものであるから、例えば、ベランダ天井壁５の下面が平坦上に形成されていなくても、それぞれの係止部材３０で調整できるから、足場１０の安定した固定状態を作ることができる。そして、作業者は足場１０の床板１７上に移動する。
【００５３】
床板１７は、側部区域Ｍ３内、つまりベランダ外壁６の外方に位置しているから、作業者が床板１７に乗ることによって、足場１０は、外側に向かうモーメントがかかるものの、足場１０はベランダ床面４とベランダ天井壁５との間で突っ張るようにして固定されているから、組み付けられた状態の姿勢を保っている。しかも、上部枠体部１３の上面とベランダ天井壁５との間の隙間Ｓはわずかであり、係止部材３０付近にストッパ３６もあることから、たとえ係止部材３０が破損したとしても、足場１０自体が転倒して落下する虞はほとんどない。
【００５４】
また、上部枠体部１３の側部区域Ｍ３では、周りに側部保護板２４、後部保護板２５で囲ってあることから、作業者の落下する虞もほとんどない。
【００５５】
作業内容は、主に、ベランダ天井部５の下面を塗装する作業、及びベランダ外壁６の水洗浄あるいはバイオ洗浄作業を行うものであって、床板１７の高さ位置は、通常の背の高さ（１７０ＣＭ前後）を有する作業者の場合、目の位置が上層階のベランダ外壁６より僅かに上方となるように設定されているから、作業を容易に行うことができる。
【００５６】
所定の場所での作業を終了すると、係止部材３０を僅かに緩めて車輪部３１をベランダ天井壁５との間にわずかな隙間を作る。また、ベランダ床面４に当接していたストッパ３６を僅かに緩めて、キャスタ２０を走行可能にする。補助作業者がいる場合には、清掃工事作業者は、足場１０内に乗ったまま、補助作業者が足場１０を走行させる。この際、足場１０の走行中に、平坦上でないベランダ天井壁５の下面に、係止部材３０の車輪部３１が当たったとしても、車輪部３１は自身で回転するため、走行の妨げにならない。また、足場１０の走行中、ベランダ３がカーブして形成されている場合、上部カバー２０の側壁部２６２が障害物に干渉することがあっても、側壁部２６２を後壁部２６１に対して折り畳むことによって、障害物との干渉を回避することができる。
【００５７】
そして、次の場所での作業を上述と同様に行う。予定されていた作業を全て終了すると、組み立てた手順と逆の手順を行うことによって、足場１０を分解する。そして、分割された部位をエレベータで運ぶことになる。
【００５８】
上述のように、実施形態の足場１０は、キャスタ２０又はストッパ部材２１でベランダ床面４に係止させ、係止部材３０でベランダ天井壁５との間で突っ張るようにして固定するから、足場１０の側部区域Ｍ３が、ベランダ外壁６より外側に突出していても、安全に作業することができる。
【００５９】
また、下部枠体部１１と上部枠体部１３との組付、及び上部枠体部１３の組付は、ねじ結合をしないで、嵌め合い結合で行うことができるから、組付作業を容易にして足場１０の組付時間を短縮できるとともに、できるだけ、細かい部分を分割して持ち運べることによって、現場に容易に移動することができる。さらに、作業場への移動は、キャスタ２０によって容易に走行させることができるから、総合的な作業時間を大幅に短縮することができる。
【００６０】
なお、上述の足場１０の構成は、あくまで一実施形態を示すものであり、高層階の作業を安全に、しかも短い作業時間で行えるようにすれば、上述の形態に限定するものではない。例えば、下部枠体部１１の縦支柱１１１や横支柱１１２、あるいは上部枠体部１３の縦枠部１４における外枠部１４１や補助枠部１４２、第１の連結枠部１５の外枠部１５１や補助枠部１５２、第２の連結枠部１６の連結棒１６１は、等辺山形鋼（アングル部材）又は、角筒部材であってもよい。
【００６１】
また、縦枠部１４、第１の連結枠部１５、第２の連結枠部１６で構成される上部枠体部１３の枠組みを一体的に形成して、下部枠体部１１に着脱可能に構成してもよい。
【００６２】
さらに、係止部材３０の車輪部３１を弾性体で形成されたパットであってもよい。
【図面の簡単な説明】
【００６３】
【図１】本考案の一形態の足場を示す概略正面図である。
【図２】図１における足場の詳細を示す正面図である。
【図３】図２におけるＡ矢視図である。
【図４】図１の足場における下部枠体部と上部枠体部を示す分解斜視図である。
【図５】図２におけるＶ−Ｖ断面図である。
【図６】図４における縦枠部と第１の連結枠部との連結状態を示す断面図である。
【図７】図４における後部保護板と第１の連結枠部との連結状態を示す断面図である。
【図８】図２における係止部材の装着状態を示す説明図である。
【図９】防止シートを掛けた状態を示す概略図である。
【符号の説明】
【００６４】
３、ベランダ
４、ベランダ床面
５、ベランダ天井壁
６、ベランダ外壁
Ｍ１、下部区域
Ｍ２、上部区域
Ｍ３，側部区域
１０、足場
１１、下部枠体部
１２、Ｌ字状板
１２１、凹部
１３、上部枠体部
１４、縦枠部
１４１、外枠部
１４１ａ、フック部
１５、第１の連結枠部
１５１、外枠部
１６、第２の連結枠部
１６２、板部材
１７、床板
１８、床枠
１８３、１８４、板部材
１９、敷板
２０、キャスタ
２４、側部保護板
２５、後部保護板
３０、係止部材
３１、車輪部
３２、雄ねじ部
３３、雌ねじ部
３５、ねじ収納部
【図１】
0003141539.tif 000003
【図２】
0003141539.tif 000004
【図３】
0003141539.tif 000005
【図４】
0003141539.tif 000006
【図５】
0003141539.tif 000007
【図６】
0003141539.tif 000008
【図７】
0003141539.tif 000009
【図８】
0003141539.tif 000010
【図９】
0003141539.tif 000011